【手続補正書】
【提出日】平成18年10月18日(2006.10.18)
【手続補正１】
【補正対象書類名】明細書
【補正対象項目名】特許請求の範囲
【補正方法】変更
【補正の内容】
【特許請求の範囲】
【請求項１】  昇降可能な刈取部を昇降制御する操作レバーと、
ワンショット信号により、規制位置まで前記刈取部の昇降作動を保持する保持手段と、を備え、
前記ワンショット信号を発する操作手段を前記操作レバーに配置すると共に、
前記操作手段が、前記操作レバーの頭部に配置された始動スイッチと、前記操作レバーの操作により前記刈取部の上昇又は下降を選択する昇降方向選択手段とを有し、
前記始動スイッチを操作した状態での前記操作レバーの上昇方向又は下降方向の操作に基づく前記昇降方向選択手段のワンショット操作により、前記刈取部を規制位置に昇降することを特徴とするコンバインの刈取部昇降装置。
【請求項２】  前記刈取部の下降規制位置を設定する設定手段を備えると共に、前記刈取部が前記設定手段にて設定された下降規制位置まで下降した後、前記始動スイッチと前記昇降方向選択手段とを操作し続けることによって、前記設定手段による下降規制作動を中断する中断手段を備えたことを特徴とする請求項１に記載のコンバインの刈取部昇降装置。
【手続補正２】
【補正対象書類名】明細書
【補正対象項目名】０００５
【補正方法】変更
【補正の内容】
【０００５】
【課題を解決するための手段】
上記課題を解決するために本発明の刈取部昇降装置は、昇降可能な刈取部（２０）を昇降制御する操作レバー（１１）と、ワンショット信号により、規制位置まで前記刈取部（２０）の昇降作動を保持する保持手段（４５）と、を備え、前記ワンショット信号を発する操作手段（４３）を前記操作レバー（１１）に配置すると共に、前記操作手段（４３）が、前記操作レバー（１１）の頭部（１１ａ）に配置された始動スイッチ（４１）と、前記操作レバー（１１）の操作により前記刈取部（２０）の上昇又は下降を選択する昇降方向選択手段（４２）とを有し、前記始動スイッチ（４１）を操作した状態での前記操作レバー（１１）の上昇方向又は下降方向の操作に基づく前記昇降方向選択手段（４２）のワンショット操作により、前記刈取部（２０）を規制位置に昇降することを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
また、前記刈取部（２０）の下降規制位置を設定する設定手段（３１）を備えると共に、前記刈取部（２０）が前記設定手段（３１）にて設定された下降規制位置まで下降した後、前記始動スイッチ（４１）と前記昇降方向選択手段（４２）とを操作し続けることによって、前記設定手段（３１）による下降規制作動を中断する中断手段（４７）を備えていることを特徴とする。
【手続補正６】
【補正対象書類名】明細書
【補正対象項目名】０００９
【補正方法】変更
【補正の内容】
【０００９】
（作用）
操作手段（４３）を操作してワンショット信号を発すると、刈取部（２０）は、昇降状態が保持手段（４５）に保持されて、上昇規制位置或いは下降規制位置まで昇降して、停止する。また、操作手段（４３）を操作しないで、操作レバー（１１）を操作しても、刈取部（２０）は、昇降する。すなわち、操作手段（４３）、操作レバー（１１）の何れを操作しても、刈取部（２０）は、昇降する。オペレータは、操作手段（４３）が操作レバー（１１）に配設されているので、コンバインを操縦しながら操作手段（４３）を容易に探し出せる。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
また、操作手段（４３）が、操作レバー（１１）の頭部（１１ａ）に配置された始動スイッチ（４１）と、操作レバー（１１）の操作により刈取部（２０）の上昇又は下降を選択する昇降方向選択手段（４２）とを有し、始動スイッチ（４１）を操作した状態での操作レバー（１１）の上昇方向又は下降方向の操作に基づく昇降方向選択手段（４２）のワンショット操作により、刈取部（２０）を規制位置に昇降させるから、オペレータは、刈取部（２０）の昇降方向を操作レバー（１１）の操作方向によって認識しながら、始動スイッチ（４１）を押して、刈取部（２０）を昇降させることができる。すなわち、操作レバー（１１）と、始動スイッチ（４１）とのワンショット操作によって、刈取部（２０）が昇降する。
【手続補正９】
【補正対象書類名】明細書
【補正対象項目名】００１２
【補正方法】変更
【補正の内容】
【００１２】
また、前記刈取部（２０）の下降規制位置を設定する設定手段（３１）を備えると共に、設定手段（３１）による下降規制作動を中断する中断手段（４７）を備えたから、刈取部（２０）が設定手段（３１）にて設定された下降規制位置まで下降した後、なおも始動スイッチ（４１）と昇降方向選択手段（４２）とを操作し続けると、中断手段（４７）が作動し、刈取部（２０）は、下降規制位置よりもさらに下降する。
【手続補正１０】
【補正対象書類名】明細書
【補正対象項目名】００１３
【補正方法】変更
【補正の内容】
【００１３】
【発明の効果】
本発明のコンバインの刈取部昇降装置は、ワンショット信号を発する操作手段（４３）を、昇降可能な刈取部（２０）を昇降制御する操作レバー（１１）に配設したので、次に効果を奏する。
【手続補正１１】
【補正対象書類名】明細書
【補正対象項目名】００１４
【補正方法】変更
【補正の内容】
【００１４】
操作レバー（１１）は手探りででも探し出すことができるので、操作手段（４３）も容易に探し出すことができ、コンバインの操作性を向上させることができる。
【手続補正１２】
【補正対象書類名】明細書
【補正対象項目名】００１５
【補正方法】変更
【補正の内容】
【００１５】
操作手段（４３）を操作すると、刈取部（２０）が自動的に昇降するようになっているため、オペレータが、操作手段（４３）を操作した後、操作レバー（１１）を握ったままで、引き続いて操作レバー（１１）を操作して、他の操作をコンバインに行わせることができ、コンバインの操作性を向上させることができる。
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】変更
【補正の内容】
【００１７】
また、操作手段（４３）が、操作レバー（１１）の頭部（１１ａ）に配置された始動スイッチ（４１）と、操作レバー（１１）の操作により刈取部（２０）の上昇又は下降を選択する昇降方向選択手段（４２）とを有し、始動スイッチ（４１）を操作した状態で、操作レバー（１１）の上昇方向又は下降方向の操作に基づく昇降方向選択手段（４２）のワ
ンショット操作により、刈取部（２０）を規制位置に昇降させたから次の効果を奏する。
【手続補正１５】
【補正対象書類名】明細書
【補正対象項目名】００２１
【補正方法】変更
【補正の内容】
【００２１】
また、前記刈取部（２０）の下降規制位置を設定する設定手段（３１）を備えると共に、前記刈取部（２０）が前記設定手段（３１）にて設定された下降規制位置まで下降した後、前記始動スイッチ（４１）と前記昇降方向選択手段（４２）とを操作し続けることによって、前記設定手段（３１）による下降規制作動を中断する中断手段（４７）を備えたから、下降規制位置よりも低い所望の刈り高さで刈り取りを行うことができる。